(57)【要約】【課題】  払い出し装置に対する異物混入及び不正行為を防止することができるようにした遊技機を提供する。【解決手段】  ホッパー装置３１の払い出し口３３を閉鎖する閉鎖位置と開放する開放位置とに移動可能な閉鎖部材４５を設ける。閉鎖部材４５にはソレノイド４６のプランジャ４７が連結されており、ソレノイド４６は、閉鎖部材４５を閉鎖位置または開放位置に選択的に移動する。シャッタ装置４５が閉鎖位置にあるか否かを検知するフォトセンサ５０と、シャッタ装置４５が開放位置にあるか否かを検知するフォトセンサ５１とによって、ホッパー装置３１のメダル払い出し動作と閉鎖部材４５の移動状態とが連動しているか否かが検知される。【選択図】        図３
2005110848.tif 000002
【特許請求の範囲】
【請求項１】
遊技の際の付与価値を払い出す払い出し口を有する払い出し装置を備えた遊技機において、
前記払い出し口を閉鎖する閉鎖位置と、開放する開放位置とに移動可能とした閉鎖部材と、
前記閉鎖部材を移動させる駆動装置と、
前記払い出し装置の作動に連動して、前記閉鎖位置または前記開放位置に前記閉鎖部材を選択的に移動させるよう前記駆動装置を制御する制御装置と、
前記閉鎖位置にある前記閉鎖部材を検知し、検知情報を前記制御装置に伝える閉鎖検知装置とを備えたことを特徴とする遊技機。
【請求項２】
前記制御装置は、前記付与価値が払い出されているときに前記閉鎖検知装置から前記閉鎖部材を検知したとする検知情報が伝えられた場合に、異常報知手段を用いて異常を報知することを特徴とする請求項１記載の遊技機。
【請求項３】
前記開放位置にある前記閉鎖部材を検知し、検知情報を前記制御装置に伝える開放検知装置を備えたことを特徴とする請求項１または請求項２記載の遊技機。
【請求項４】
前記制御装置は、前記付与価値の払い出しが停止状態のときに前記開放検知装置から前記閉鎖部材を検知したとする検知情報が伝えられた場合に、異常報知手段を用いて異常を報知することを特徴とする請求項３記載の遊技機。
【請求項５】
前記駆動装置は、ソレノイドまたはモータであることを特徴とする請求項１〜４のいずれか１つに記載の遊技機。
【発明の詳細な説明】
【技術分野】
【０００１】
本発明は、パチンコ店などの遊技場に設置して使用されるスロットマシン等の遊技機に関するものである。
【背景技術】
【０００２】
パチンコ店などの遊技場に設置して使用されるスロットマシンはパチスロ機と称されている。このようなパチスロ機の場合、遊技を行う際に遊技における付与価値であるメダルを、所定枚数投入することで遊技を行うことが可能となり、遊技を行って入賞を得た場合には、パチスロ機の内部に設けられたホッパー装置が駆動して、入賞に対する払い出し枚数となるメダルが受け皿に払い出されるようになっている。なお、付与価値は、メダルに限らず、遊技球などの遊技媒体、または有益なクレジット情報を適宜含むものである。
【０００３】
パチスロ機の外部から針金等の異物をホッパー装置の払い出し口より挿入し、ホッパー装置を誤作動させるなどして不正にメダルを払い出させるという行為が行われることがあった。このような不正にメダルを払い出させるという行為に対し、ホッパー装置からメダルを払い出すときだけ開口するシャッタ装置をホッパー装置の払い出し口に設けることによって、不正行為を防止することが考えられる。
【発明の開示】
【発明が解決しようとする課題】
【０００４】
しかしながら、上記のようにホッパー装置の払い出し口にシャッタ装置を設けても、外部から特別な道具等を用いてシャッタ装置を無理やり開放されてしまうという問題がある。
【０００５】
本発明は、払い出し装置に対する異物混入及び不正行為を防止することができるようにした遊技機を提供することを目的とする。
【課題を解決するための手段】
【０００６】
本発明の遊技機は、遊技の際の付与価値を払い出す払い出し口を有する払い出し装置を備えたものであって、前記払い出し口を閉鎖する閉鎖位置と、開放する開放位置とに移動可能とした閉鎖部材と、前記閉鎖部材を移動させる駆動装置と、前記払い出し装置の作動に連動して、前記閉鎖位置または前記開放位置に前記閉鎖部材を選択的に移動させるよう前記駆動装置を制御する制御装置と、前記閉鎖位置にある前記閉鎖部材を検知し、検知情報を前記制御装置に伝える閉鎖検知装置とを備えたことを特徴とするものである。
【０００７】
また、前記制御装置は、前記付与価値が払い出されているときに前記閉鎖検知装置から前記閉鎖部材を検知したとする検知情報が伝えられた場合に、異常報知手段を用いて異常を報知することが好適である。
【０００８】
また、前記開放位置にある前記閉鎖部材を検知し、検知情報を前記制御装置に伝える開放検知装置を備えることが好適である。
【０００９】
また、前記制御装置は、前記付与価値の払い出しが停止状態のときに前記開放検知装置から前記閉鎖部材を検知したとする検知情報が伝えられた場合に、異常報知手段を用いて異常を報知することが好適である。
【００１０】
また、前記駆動装置は、ソレノイドまたはモータであることが好適である。
【発明の効果】
【００１１】
本発明の遊技機は、スロットマシンの外部から払い出し口に針金等の異物を挿入されることを、閉鎖部材及び駆動装置からなるシャッタ装置によって防止するとともに、払い出し装置の作動とシャッタ装置の作動が連動しているか否かを、閉鎖部材の移動状態を検知して確認できるようにしたため、払い出し装置に対する異物混入及び不正行為を防止することができる。
【００１２】
また、制御装置は、付与価値が払い出されているときに閉鎖検知装置から閉鎖部材を検知したとする検知情報が伝えられた場合に、異常報知手段を用いて異常を報知することで、払い出し装置に対する異物混入及び不正行為が行われたことを遊技場の管理者に認識させることができる。
【００１３】
また、開放位置にある閉鎖部材を検知し、検知情報を制御装置に伝える開放検知装置を備えることによって、払い出し装置の作動に応じてシャッタ装置が作動しているか否かを閉鎖検知装置及び開放検知装置によって検知することができ、したがって、払い出し装置の作動とシャッタ装置の作動が連動しているか否かを検知することの信頼性を高めることができる。
【００１４】
また、制御装置は、付与価値の払い出しが停止状態のときに開放検知装置から閉鎖部材を検知したとする検知情報が伝えられた場合に、異常報知手段を用いて異常を報知することで、払い出し装置に対する異物混入及び不正行為が行われたことを遊技場の管理者に認識させることができる。
【００１５】
また、駆動装置に、ソレノイドまたはモータを用いることによって、閉鎖位置または開放位置に閉鎖部材を選択的に移動する制御を電気的に簡便に行うことができ、また、閉鎖部材をソレノイドまたはモータによって直接駆動することによってシャッタ装置の構成を簡素なものにすることができる。
【発明を実施するための最良の形態】
【００１６】
図１に示すように、スロットマシン（遊技機）２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ、第２リール７ｂ、第３リール７ｃが配置される。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。この第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしても良い
【００１７】
下部前面扉５の上部には、遊技の開始時に操作される１枚ベットボタン１０、ＭＡＸベットボタン１１、ペイアウトボタン１２などの各種の操作ボタンが設けられる。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させる第１〜第３ストップボタン１６〜１８等が設けられる。
【００１８】
また、下部前面扉５には、遊技を行う際にメダル（付与価値）３０（図２参照）を投入するためのメダル投入口２０が設けられている。メダル投入口２０からのメダル経路にはセレクタ２１が組み込まれ、投入されたメダルが不適正なメダルであった場合にはメダル払い出し口２２を介してメダル受け皿２３に排出される。また、セレクタ２１は、例えば遊技の途中や各種の操作ボタンが押されたままの状態で投入された等の不適切なタイミングでメダル３０の投入が行われたときに、投入されたメダル３０をメダル受け皿２３に排出する。なお、遊技の開始に先立って投入するメダル３０の枚数は１〜３枚に限られているため、クレジット機能を用いていないとき、またはクレジット機能における上限数に達しているときには４枚目以降に投入されたメダル３０はメダル受け皿２３に排出される。
【００１９】
一方、クレジット機能がオン状態のときには４枚目以降に投入されたメダル３０は、図示しないメダルセンサで検知され、５０枚を限度にスロットマシン２の内部に貯留される。なお、貯留されたメダル３０の枚数は、クレジット枚数表示器２５でデジタル表示される。このクレジット機能を用いているときには、前述した１枚ベットボタン１０やＭＡＸベットボタン１１の操作に応じたメダル３０の投入信号が生成され、そのベット枚数がクレジット枚数から逐次に減算される。また、遊技の結果、当選役を構成する図柄を停止させ、入賞が得られたときには配当となるメダル３０もクレジット機能における上限数に達するまでクレジットされ、ペイアウトボタン１２を操作したときにクレジットされているメダル３０がメダル受け皿２３に払い出される。
【００２０】
図２に示すように、筐体３の下部には、ホッパー装置（払い出し装置）３１及びオーバーフロー用の貯留箱３２が設けられる。ホッパー装置３１は、このスロットマシン２で遊技を行って入賞を得た場合に作動し、ホッパー装置３１の前面に設けられた払い出し口３３より入賞とした当選役に応じた枚数のメダル３０を１枚ずつ払い出す。このホッパー装置３１の上部には、払い出し用のメダル３０を貯留する貯留タンク３４が設けられている。なお、この貯留タンク３４には、メダル投入口２０から投入された正規のメダル３０が貯留される。オーバーフロー用の貯留箱３２は、ホッパー装置３１の貯留タンク３４に貯留されたメダル３０が所定量を超えたときに、貯留タンク３４から排出されたメダル３０を貯留する。ホッパー装置３１の払い出し口３３の前方には、払い出し口３３から払い出されたメダルをメダル払い出し口２２まで誘導する略Ｌ字状の排出経路４０が設けられている。払い出し口３３の前方には、ホッパー装置３１の前面に設けられた２本のスリット４４に沿って上下に摺動する閉鎖部材４５が設けられている。
【００２１】
図３及び図４に閉鎖部材４５及びソレノイド４６からなるシャッタ装置４９を示す。図３は、閉鎖部材４５、ソレノイド４６、及びフォトセンサ５０，５１の関係を示す斜視図であり、図４は、閉鎖部材４５、ソレノイド４６、及びフォトセンサ５０，５１の関係を示す上面図である。閉鎖部材４５は左側片４５ａ、右側片４５ｂ、及び前方片４５ｃからなり、上方から見た形状が略コ字状となっている。左側片４５ａ及び右側片４５ｂはそれぞれスリット４４に挿通されている。左側片４５ａ及び右側片４５ｂがそれぞれスリット４４内で摺動することによって、閉鎖部材４５は上下方向に移動可能となっている。また、左側片４５ａ及び右側片４５ｂには、摺接片４５ｄがそれぞれ２個ずつ、スリット４４を挟む前後となるように設けられている。摺接片４５ｄによって閉鎖部材４５は、スリット４４に対して前後方向への移動が制限され、スリット４４から脱落しないようになっている。
【００２２】
左側片４５ａには、ホッパー装置３１の内部であってスリット４４の後方に設けられたソレノイド（駆動装置）４６のプランジャ４７が、プランジャ４７の先端部及び左側片４５ａを貫通するピン４８によって連結されている。ソレノイド４６のプランジャ４７は上下方向に駆動される。ソレノイド４６は、プランジャ４７を突出させるか引き込むかを選択的に行うことによって、閉鎖部材４５の移動可能範囲の下方であって払い出し口３３の前方を覆って閉鎖する閉鎖位置、または上方であって払い出し口３３を前方に露呈させて開放する開放位置に、閉鎖部材４５を選択的に移動する。図３において、実線で示した閉鎖部材４５の位置が閉鎖位置であり、２点鎖線で示した閉鎖部材４５の位置が開放位置である。
【００２３】
ホッパー装置３１の内部であって右側片４５ｂの後方には、閉鎖部材４５が閉鎖位置にあるときに右側片４５ｂの下端部を検知するフォトセンサ（閉鎖検知装置）５０と、閉鎖部材４５が開放位置にあるときに右側片４５ｂの上端部を検知するフォトセンサ（開放検知装置）５１とが設けられている。フォトセンサ５０，５１がそれぞれ右側片４５ｂの端部を検知するか否かによって、閉鎖部材４５が閉鎖位置にあるか否か、及び閉鎖部材４５が開放位置にあるか否かが検知される。
【００２４】
ソレノイド４６の駆動は、スロットマシン２の内部に設けられた制御回路基板（制御装置）５５による駆動信号を受信することによって制御される。また、フォトセンサ５０，５１のぞれぞれが右側片４５ｂの端部を検知したことを伝える検知信号（検知情報）は、配線などを介して制御回路基板５５に入力される。制御回路基板５５は、ホッパー装置３１の駆動も制御しており、ソレノイド４６の駆動は、ホッパー装置３１のメダル払い出し動作と連動するよう制御される。そして、閉鎖部材４５は、ホッパー装置３１のメダル払い出し動作がある場合に開放位置に移動され、メダル払い出しが禁止されているときには閉鎖位置に移動される。
【００２５】
ホッパー装置３１がメダル払い出し動作を行っていないときに、閉鎖部材４５が閉鎖位置にないことをフォトセンサ５０が検知したか、または、閉鎖部材４５が開放位置あることをフォトセンサ５１が検知した場合、制御回路基板５５は、制御プログラムとして予め設けられたエラー処理プログラム（異常報知手段）に従って、エラー処理を行う。エラー処理は、スロットマシン２を構成する装置の作動を禁止して、メダル払い出し動作を停止させ、例えば、スピーカ５７等による警告音の再生や、液晶表示装置８による警告表示を行うことなどである。エラー処理を行うことによって、シャッタ装置４９に異常が発生したことを遊技場の管理者または他の遊技者などに報知する。また、ホッパー装置３１がメダル払い出し動作を開始するときに閉鎖部材４５が閉鎖位置にあることをフォトセンサ５０が検知したか、または、ホッパー装置３１がメダル払い出し動作を終了するときに閉鎖部材４５が開放位置に所定時間以上あることをフォトセンサ５１が検知した場合、制御回路基板５５は、スロットマシン２を構成する装置の作動を禁止して、メダル払い出し動作を停止させ、例えば、スピーカ５７等による警告音の再生や、液晶表示装置８による警告表示を行うなどのエラー処理を行う。なお、制御回路基板５５は、遊技操作に基づいて抽選をして入賞させるための当選役を決定する等のスロットマシン２の遊技における主要な制御命令を生成したり、また、主要な制御命令に従ってスロットマシン２の所定装置を制御したりする等の機能を適宜付加しても良い。
【００２６】
次に、このようなスロットマシン２の作用について、図５及び図６のフローチャートを基に説明する。図５は、ホッパー装置３１がメダル払い出し動作を行う場合を省略したスロットマシン２の動作を示すフローチャートであり、図６は、遊技に基づいてホッパー装置３１がメダル払い出し動作を行う場合のスロットマシン２の動作を示すフローチャートである。
【００２７】
図５に示すように、スロットマシン２が作動しているときに、制御回路基板５５はフォトセンサ５０，５１からの検知信号を常に監視している。ホッパー装置３１がメダル払い出し動作を行っていないときに、閉鎖位置にある閉鎖部材４５を検知していることを伝える検知信号がフォトセンサ５０から入力されない場合、制御回路基板５５は、スピーカー５７による警告音を再生して、シャッタ装置４９に関して異常が発生していることを遊技場の管理者または他の遊技者などに報知する。また、ホッパー装置３１がメダル払い出し動作を行っていないときに、閉鎖位置にある閉鎖部材４５を検知していることを伝える検知信号がフォトセンサ５０から入力されている場合であっても、開放位置にある閉鎖部材４５を検知していることを伝える検知信号がフォトセンサ５１から入力された場合、制御回路基板５５は、スピーカー５７による警告音を再生して、シャッタ装置４９に関して異常が発生していることを遊技場の管理者または他の遊技者などに報知する。このようにして、ホッパー装置３１がメダル払い出し動作を行っていないときに、スロットマシン２の外部から払い出し口３３に針金等の異物を挿入されることを閉鎖部材４５によって防止するとともに、シャッタ装置４９が正常に作動しているか否かをフォトセンサ５０，５１によって検知して警告音をスピーカ５７から発声させるので、払い出し装置に対する異物混入及び不正行為を防止することができる。
【００２８】
また、遊技に基づいてホッパー装置３１がメダル払い出し動作を行う場合を、図６に示す。メダル投入を行って、スタートレバー１５を操作すると、遊技が開始され、第１〜第３リール７ａ〜７ｃが回転する。そして、遊技者が第１〜第３ストップボタン１６〜１８を操作すると、第１〜第３リール７ａ〜７ｃのうち、操作されたストップボタンに対応するリールが停止する。そして、第１〜第３リール７ａ〜７ｃが停止し、予め設定された入賞ライン上に抽選で決定された当選役を構成する図柄が揃ったときや、所定の位置に特定の図柄が停止されたときに入賞となる。
【００２９】
遊技の結果、入賞となる場合、制御回路基板５５はソレノイド４６に通電を行って、ソレノイド４６を作動させる。ソレノイド４６が作動すると、プランジャ４７が上方に引き込まれ、閉鎖部材４５が開放位置に移動し、払い出し口３３が開放される。制御回路基板５５は、閉鎖部材４５が開放位置にあることを伝える検知信号がフォトセンサ５１から入力されると、ホッパー装置３１作動させ、メダル３０の払い出しを開始する。ソレノイド４６を作動させた後、閉鎖部材４５を開放させる際の許容時間を越える異常時間として設定された時間を経過してもフォトセンサ５１から検知信号が入力されなかった場合、制御回路基板５５は、スピーカー５７による警告音を再生して、シャッタ装置４９に関して異常が発生していることを遊技場の管理者または他の遊技者などに報知する。ホッパー装置３１から入賞に対するメダルを払い出し終わると、制御回路基板５５はソレノイド４６への通電を停止し、閉鎖部材４５は閉鎖位置に移動する。ソレノイド４６を停止させた後、閉鎖部材４５を閉鎖する際の許容時間を越える異常時間として設定された時間を経過してもフォトセンサ５０から検知信号が入力されなかった場合、制御回路基板５５は、スピーカー５７による警告音を再生して、シャッタ装置４９に関して異常が発生していることを遊技場の管理者または他の遊技者などに報知する。このようにして、ホッパー装置３１がメダル払い出し動作を行っているときに、シャッタ装置４９の作動とともに閉鎖部材の移動状態が正常であるか否かをフォトセンサ５０，５１によって検知して警告音をスピーカ５７から発声させるので、払い出し装置に対する異物混入及び不正行為を確実に防止することができる。
【００３０】
なお、上記実施形態では、閉鎖部材４５を開閉移動させる駆動装置としてソレノイド４６を用いたが、モータを用いても良い。モータを用いて閉鎖部材４５を開閉移動させる場合の例を図７に示す。図７において、図３に示した形態と異なる部分のみ説明する。閉鎖部材４５の左側片４５ａの後端部の左側には、上下に亘ってラック（歯竿）４５ｅが設けられている。ホッパー装置３１の内部であってスリット４４の後方にはモータ６０が設けられ、モータ６０の駆動軸６０ａの先端部にはピニオン（歯車）６１が固着されている。ラック４５ｅとピニオン６１とは噛み合わされており、モータ６０は、駆動軸６０ａ及びピニオン６１を回転させることによってラック４５ｅを上下方向に移動させ、即ち、閉鎖部材４５を開放位置または閉鎖位置に選択的に移動する。
【００３１】
モータ６０の駆動は、スロットマシン２の内部に設けられた制御回路基板（制御装置）６２によって制御される。また、フォトセンサ５０，５１のぞれぞれが右側片４５ｂの端部を検知したことを伝える検知信号は、配線などを介して制御回路基板６２に入力される。制御回路基板６２は、制御回路基板５５と同様にホッパー装置３１の駆動も制御しており、モータ６０の駆動は、ホッパー装置３１のメダル払い出し動作と連動してピニオン６１を回転させるよう制御される。これにより、閉鎖部材４５は、ラック４５ｅを介して上下移動し、ホッパー装置３１のメダル払い出し動作と連動して開閉する。ホッパー装置３１がメダル払い出し動作を行っていないときに、閉鎖部材４５が閉鎖位置にないことをフォトセンサ５０が検知したか、または、閉鎖部材４５が開放位置あることをフォトセンサ５１が検知した場合、制御回路基板６２は、スロットマシン２を構成する装置の作動を禁止して、メダル払い出し動作を停止させ、例えば、スピーカ５７等による警告音の再生や、液晶表示装置８による警告表示を行う。また、ホッパー装置３１がメダル払い出し動作を開始するときに閉鎖部材４５が閉鎖位置にあることをフォトセンサ５０が検知したか、または、ホッパー装置３１がメダル払い出し動作を終了するときに閉鎖部材４５が開放位置に所定時間以上あることをフォトセンサ５１が検知した場合、制御回路基板６２は、スロットマシン２を構成する装置の作動を禁止して、メダル払い出し動作を停止させ、例えば、スピーカ５７等による警告音の再生や、液晶表示装置８による警告表示を行う。
【００３２】
なお、上記実施形態では、閉鎖検知装置及び開放検知装置としてそれぞれフォトセンサ５０，５１を用いたが、閉鎖検知装置は閉鎖部材４５が閉鎖位置にあるか否かを検知できれば良く、開放検知装置は閉鎖部材４５が開放位置にあるか否かを検知できれば良いので、閉鎖検知装置及び開放検知装置それぞれの形態は、機械式のスイッチを用いるなど適宜の形態を用いて良い。また、設けられる閉鎖検知装置及び開放検知装置それぞれの個数は、上記の１個ずつに限らず、適宜の数として良い。
【００３３】
上記実施形態では、閉鎖部材４５は上下方向に移動する形態であったが、払い出し口３３を閉鎖する閉鎖位置と開放する開放位置とに移動可能であれば、例えば左右方向に移動可能であるとするなど、閉鎖部材の形態は適宜の形態として良い。
【図面の簡単な説明】
【００３４】
【図１】スロットマシンの外観を示す斜視図である。
【図２】スロットマシンの下部の内部を示す斜視図である。
【図３】シャッタ装置を示す斜視図である。
【図４】シャッタ装置を示す上面図である。
【図５】ホッパー装置がメダル払い出し動作を行う場合を省略したスロットマシンの動作を示すフローチャートである。
【図６】ホッパー装置がメダル払い出し動作を行う場合のスロットマシンの動作を示すフローチャートである。
【図７】図３とは別の形態の駆動装置を用いた、シャッタ装置を示す斜視図である。
【符号の説明】
【００３５】
２  スロットマシン（遊技機）
３１  ホッパー装置（払い出し装置）
３３  払い出し口
４５  閉鎖部材
４６  ソレノイド（駆動装置）
４９  シャッタ装置
５０  フォトセンサ（閉鎖検知装置）
５１  フォトセンサ（開放検知装置）
５５  制御回路基板（制御装置）
６０  モータ（駆動装置）
６２  制御回路基板（制御装置）
【図１】
2005110848.tif 000003
【図２】
2005110848.tif 000004
【図３】
2005110848.tif 000005
【図４】
2005110848.tif 000006
【図５】
2005110848.tif 000007
【図６】
2005110848.tif 000008
【図７】
2005110848.tif 000009